(57)【要約】【課題】写真シール自動作成で動的で変化に富む周景を演出可能にし、撮像に対するアミューズメント性を高め、利用者の満足度を向上することを目的とする。【解決手段】撮像空間の被写体を撮像手段で撮像して撮像画像を作成する撮像処理を許容し、編集対象の画像を編集手段で編集して編集画像を作成する編集処理を許容し、所定の画像を出力手段で出力する写真シール自動作成装置に対して、前記撮像空間内で周景の一部を構成可能な変動体と、該変動体を撮像処理に際して変動可能な変動誘発手段とを備えた。【選択図】　　図１
2004013070.tif 000002
【特許請求の範囲】
【請求項１】
撮像空間の被写体を撮像手段で撮像して撮像画像を作成する撮像処理を許容し、
編集対象の画像を編集手段で編集して編集画像を作成する編集処理を許容し、
所定の画像を出力手段で出力する写真シール自動作成方法であって、
前記撮像空間内に備えて周景の一部を構成可能な変動体を撮影処理に際して変動誘発手段で変動可能にする
写真シール自動作成方法。
【請求項２】
前記変動体として面状体を使用し、
前記変動誘発手段として送風手段を使用する
請求項１記載の写真シール自動作成方法。
【請求項３】
変動体照明手段を備えて前記変動体を照明する
請求項１又は２記載の写真シール自動作成方法。
【請求項４】
撮像空間の被写体を撮像手段で撮像して撮像画像を作成する撮像処理を許容し、
編集対象の画像を編集手段で編集して編集画像を作成する編集処理を許容し、
所定の画像を出力手段で出力する写真シール自動作成装置であって、
前記撮像空間内で周景の一部を構成可能な変動体と、
該変動体を撮像処理に際して変動可能な変動誘発手段とを備えた
写真シール自動作成装置。
【請求項５】
前記変動体を面状体で形成し、
前記変動誘発手段を送風手段で形成した
請求項４記載の写真シール自動作成装置。
【請求項６】
前記変動体を照明する変動体照明手段を備えた
請求項４又は５記載の写真シール自動作成装置。
【請求項７】
画像が印刷されるシール紙と、該シール紙の真偽を識別させる識別体を備え、請求項１から６のいずれか１つに記載の写真シール自動作成方法又は写真シール自動作成装置に備えられた識別手段で、前記識別体が識別されて前記所定の画像が印刷される
シール紙ユニット。
【請求項８】
請求項１から６のいずれか１つに記載の写真シール自動作成方法又は写真シール自動作成装置で、前記所定の画像を印刷する又は印刷した
写真シールシート。
【発明の詳細な説明】
【０００１】
【発明の属する技術分野】
この発明は、例えばゲームセンター等のアミューズメント施設に設置し、利用者を撮像してその撮像画像に落書き編集することを許容し、編集後の編集画像を印刷して写真シールシートを作成するような、写真シール自動作成方法とその装置に関する。
【０００２】
【従来の技術】
従来、デジタルカメラで撮像空間内の被写体を撮像し、該撮像による撮像画像に対してタッチパネルで落書き編集を許容し、該編集による編集画像を印刷して写真シールシートを作成する写真シール自動作成装置が存在している。
【０００３】
このような写真シール自動作成装置では、撮像画像に変化をつけるための工夫がされているものも存在する。例えば、周景の一部である背景となる背景カーテンを色違いで複数備え、該背景カーテンを利用者がカーテンレール上で移動させて希望する色の背景カーテンを選択するものが存在する。他にも、上下にローラを有するロールスクリーンを撮像空間の背景側に備え、照明に対応してロールスクリーンを回転させ、その表面（すなわち背景）を構成する色を調節するものも提案されている。
【０００４】
【発明が解決しようとする課題】
しかし、このようにして周景の一部（この場合は背景）を変化させても、その変化パターンは静的で少ないため、利用者にすぐに飽きられることとなっていた。また、アミューズメント性も低く、撮像に対する遊び感覚という点での効果も少なかった。
この発明は、動的で変化に富む周景を演出することができ、撮像に対するアミューズメント性を高め、利用者の満足度を向上することを目的とする。
【０００５】
【課題を解決するための手段】
この発明は、撮像空間の被写体を撮像手段で撮像して撮像画像を作成する撮像処理を許容し、編集対象の画像を編集手段で編集して編集画像を作成する編集処理を許容し、所定の画像を出力手段で出力する写真シール自動作成方法又はその装置であって、前記撮像空間内に備えて周景の一部を構成可能な変動体を撮影処理に際して変動誘発手段で変動可能にする写真シール自動作成方法又はその装置であることを特徴とする。
【０００６】
前記撮像手段は、デジタルカメラ又はデジタルビデオカメラで構成することを含む。
前記編集手段は、タッチペン又は指でタッチされた座標を取得するタッチパネルやマウス等のポインティングデバイスで構成することを含む。
【０００７】
前記編集対象の画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【０００８】
前記所定の画像は、前記撮像画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することを含む。
【０００９】
前記出力手段は、モノトーンプリンタ、セピア（ｓｅｐｉａ）トーンプリンタ又はカラープリンタ等画像を印刷する印刷手段、画像データを送信する通信手段、又は画像データを記憶媒体に書き込む記憶媒体リーダ／ライタで構成することを含む。
前記周景は、被写体の前景や背景等、撮像画像中で被写体以外が写っている部分を指す。
【００１０】
前記変動体は、布，紙，又はナイロンシート等の面状体、風等の外力で回転する羽や立方体等の回転体、又は、該回転体を格子状若しくはランダムに配列した回転体集合物、紐，ロープ，又はテープ等の線状体、少なくとも撮像空間側をガラス等の透明板で形成したケースで略平面状又は立体状に囲繞した液体等、外力によって位置、形、又は向きの１つ以上が変化する物体で構成することを含む。なお、前記液体を使用する際には、空気を送り込んで泡による撮像画像の演出を可能にできると共に、色と比重の異なる水と油等の液体を１種類又は複数種類流しこんで模様を演出する、あるいは熱帯魚等の生物を泳がして演出する事もできる。
【００１１】
前記変動誘発手段は、風を吹きつける送風装置、振動を与える振動装置、液体中に空気を送出する空気送出装置、液体を送出する液体送出装置等、前記変動体に外力を付加して変動を誘発する外力付加手段となる装置、又は、餌を送出する餌送出装置等、前記変動体の変動を誘発する装置で構成することを含む。
該変動誘発手段による前記変動体の変動は、連続変動、断続変動、ランダム変動、又はこれら変動の幾つかの組み合わせによる変動を含む。また、前記連続変動には、連続的に外力等を与えて変動させる連続変動、断続的又はランダムに外力等を与えて結果的に連続して変動させる連続変動等、撮像処理中の所定の期間連続して変動させることを含む。また、該撮像処理中の所定の期間は、撮像の瞬間を含む前後の微少時間、又は、前記微少時間及び撮像前のポーズ確認用のプレビュー表示時間等、撮像の瞬間を含む時間で構成することを含む。
【００１２】
これにより、被写体の周景を動的に変化さることができ、利用者は変化に富む撮像画像を取得することができる。
【００１３】
また好ましい実施の形態として、前記変動体として面状体を使用し、前記変動誘発手段として送風手段を使用することができる。
前記面状体は、紙、布、ナイロンシート等、平面形状の部材で形成することを含む。また、１色又は複数色で形成する、又は／及び部分毎に異なる部材を使用することを含む。さらに、正方形、長方形、円形、又は楕円形等の単純形状、又は、長方形の一辺を波型に切断した形状、又は長方形の一辺に帯を複数吊下げた形状等の特殊形状で形成することを含む。
前記送風手段は、風を吹きつける送風装置で構成することを含む。
【００１４】
前記構成により、面状体に風で揺らす又は波立たせるような変化を与えることができ、周景の一部に動きを与えてある一瞬の撮像を行うことができる。これにより、利用者は思いもかけない周景の演出効果を得た撮像画像を取得することができる。
【００１５】
また好ましい実施の形態として、変動体照明手段を備えて前記変動体を照明することができる。
前記変動体照明手段は、蛍光灯照明装置、白熱灯照明装置、スポットライト、ストロボ照明装置、その他変動体を照明する照明装置で構成することを含む。また、白色又は有色の照明、色相又は／及び明度を連続又は断続的に変化させての照明、又は、照明方向を連続的又は断続的に変化させての照明を実行可能な照明装置で構成することを含む。
【００１６】
前記構成により、例えば赤色とオレンジ色を混ぜた照明装置で、色合を変化させながら面状体等の変動体を照明し、揺れ動く変動体が炎のように見える特殊効果を得た撮像を実行するようなことができる。
【００１７】
またこの発明は、画像が印刷されるシール紙と、該シール紙の真偽を識別させる識別体を備え、前記写真シール自動作成方法又は前記写真シール自動作成装置に備えられた識別手段で、前記識別体が識別されて前記所定の画像が印刷されるシール紙ユニットとすることができる。
【００１８】
前記識別体は、非接触でデータを読書きするＩＤタグ、情報を記録したバーコード又はＩＣカード、又は、特定形状に形成したシール紙ユニットのユニット形状であることを含む。
前記識別手段は、ＩＤタグに記憶のデータを読取るＩＤタグリーダ、バーコードを読取るバーコードスキャナ、ＩＣカードに記憶のデータを読取るＩＣカードリーダ、特定形状に形成したシール紙ユニットのユニット形状と嵌合する嵌合部であることを含む。
【００１９】
前記シール紙ユニットは、識別体とシール紙とを一体にして構成する、あるいは前記識別体とシール紙とを別体にして構成することを含む。
前記構成により、前記写真シール自動作成方法又は前記写真シール自動作成装置に適合したシール紙ユニットを確実に使用することができる。
【００２０】
またこの発明は、前記写真シール自動作成方法又は前記写真シール自動作成装置で、前記所定の画像を印刷する又は印刷した写真シールシートとすることができる。
これにより、利用者は写真シールシートを実際に取得することができる。
【００２１】
【発明の効果】
この発明により、周景の一部を物理的に変動させて、動きのある周景を得た撮像画像を取得することができ、撮像画像のバリエーションが増加する。また、思いがけない周景の撮像画像を取得することができるため、撮像に対する利用者のアミューズメント性が向上する。これらにより、利用者の満足度が向上し、施設の売上向上を図ることができる。
【００２２】
【発明の実施の形態】
この発明の一実施形態を以下図面と共に説明する。
まず、図１に示す正面右上から見た斜視図と共に、写真シール自動作成機１の外観について説明する。
【００２３】
写真シール自動作成機１は、ボックス状の枠体３で囲繞した撮像空間５の正面奥側に筐体４を備えており、前記枠体３の上辺からは側面及び正面にカーテン２（右側面及び正面は図示省略）を吊るして撮像空間５を外界から隔離している。
【００２４】
前記筐体４には、正面中央に前下がりの傾斜部を形成して該傾斜部にモニタ１４を備える。該モニタ１４には、タッチパネル１５ａを重ねて設け、その左右に備えたタッチペン１５ｂ，１５ｂで該タッチパネル１５ａをタッチさせて、利用者の入力を許容する。
【００２５】
前記傾斜部の上方には、中央にデジタルカメラ１２を備え、該デジタルカメラの左右にストロボ発光する被写体照明装置１３，１３を配設する。なお、該被写体照明装置１３は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００２６】
前記傾斜部の下方正面には、硬貨の投入を許容する貨幣投入口１６ａを備え、筐体４の右側面下部には、作成した写真シールシートを排出する写真シール排出口１８ａを備える。
【００２７】
該写真シール排出口１８ａの内部には、図２の部分拡大図（一部断面図）に示すように、パーソナルコンピュータで構成した制御装置１１とその上方に設置したプリンタ１８を備える。
該プリンタ１８は、シール紙ユニット１０をセット可能に形成し、背面側にＩＤタグリーダ／ライタ１７を備える。
【００２８】
前記シール紙ユニット１０は、ロール状のシール紙１０ｂとその側面に備えたＩＤタグ１０ａで構成し、該ＩＤタグ１０ａは前記ＩＤタグリーダ／ライタ１７によるデータの読書きを許容する。なお、前記プリンタ１８でシール紙１０ｂに画像を印刷されて作成された写真シールシート１０ｃは、前記写真シール排出口１８ａから排出する。
【００２９】
図１に示した撮像空間５の手前側には、収納ローラ１９で収納可能な演出カーテン２０を備える。該演出カーテン２０の下方手前側には、演出カーテン２０に向けて送風する送風装置２１を備え、演出カーテン２０の下方奥側には、演出カーテン２０を照明する演出照明装置２２を備える。
【００３０】
なお、前記演出カーテン２０は、上半分を透明シート２０ａで、下半分を白色シート２０ｂで形成し、その接続部がゆがんだ波型になるように接続している。さらに、下端にはおもり２０ｃを取り付け、演出カーテン２０が必要以上に揺れないようにしている。
また、前記収納ローラ１９、送風装置２１及び演出カーテン２０は、筐体４の内部に備えた前記制御装置１１に電機的に接続している。
【００３１】
以上の構成により、撮像処理の際には、演出カーテン２０を送風装置２１で揺らして波立たせると共に、演出照明装置２２で好みの色に照明し、動きのある背景を演出することができる。
【００３２】
次に、図３に示すブロック図と共に、写真シール自動作成機１の制御回路の構造について説明する。
制御装置１１は、ＣＰＵ，ＲＯＭ，及びＲＡＭを内蔵して各装置の制御を実行し、該制御装置１１に接続して以下の各装置を備える。なお、制御装置１１は、収納ローラ１９による演出カーテン２０の収納又は下げ降ろしの制御、送風装置２１の送風制御、及び演出照明装置２２の照明制御も実行する。
【００３３】
デジタルカメラ１２は、制御装置１１からのシャッタ信号を受けて撮像を実行し、該撮像による撮像画像を静止画データで、また撮像前のプレビュー画像を動画データで、それぞれ画像データとして制御装置１１に送信する。
被写体照明装置１３は、制御装置１１からの照明制御信号に従ってストロボ発光を実行し、撮像時に被写体を略均一に照明する。なお、該被写体照明装置１３は、ストロボ照明に加えて蛍光灯照明装置又は／及び白熱灯照明装置を追加しても良く、またストロボ照明に替えて蛍光灯照明装置又は／及び白熱灯照明装置を備えても良い。
【００３４】
モニタ１４は、制御装置１１からのＲＧＢ信号に従って、プレビュー、撮像画像、画像編集時のペンツールやスタンプルール等のアイテム画像等、必要な画像を表示する。
【００３５】
入力装置１５は、前述のタッチペン１５ｂ（図１）とタッチパネル１５ａで構成し、利用者にタッチペン１５ｂでタッチされた座標を入力信号として制御装置１１に送信する。
【００３６】
貨幣処理装置１６は、前述の貨幣投入口１６ａ（図１）の内部に位置して設けており、該貨幣投入口１６ａから投入された硬貨の真偽判別及び金種判別を実行する。該真偽判別及び金種判別が正であれば、プレイを開始する起動信号を制御装置１１に送信する。
【００３７】
ＩＤタグリーダ／ライタ１７は、制御装置１１の更新信号に従ってシール紙ユニット１０のＩＤタグ１０ａに印刷残回数などの設定データを記憶させ、読出信号として前記ＩＤタグ１０ａに記憶のＩＤナンバーや印刷残回数などの設定データを制御装置１１に送信する。
【００３８】
プリンタ１８は、制御装置１１からプリント画像データを受信し、該プリント画像をシール紙１０ｂに印刷して作成した写真シールシート１０ｃを排出する。
【００３９】
収納ローラ１９は、内部にモータを備えており、制御装置１１からの制御信号に従って演出カーテン２０の下げ降ろし及び収納を実行する。なお、該収納ローラ１９にはモータを備えず、利用者が手動で演出カーテン２０を上げ下げ可能なロールカーテンで形成しても良い。
【００４０】
送風装置２１は、内部にファンとモータを内蔵しており、制御装置１１からの送風制御信号に従って、モータでファンを回転させて演出カーテン２０に向けた送風を実行する。なお、該送風は送風速度を調整可能にしても良く、この場合は送風制御信号で前記モータの回転数を制御すると良い。
【００４１】
演出照明装置２２は、制御装置１１の照明制御信号に従った色で演出カーテン２０を照明する。なお、色のみでなく照明光度も調整可能に形成しても良い。　記憶装置２３は、照明光度やプレイ料金等の各種設定データ、及び必要なプログラムを記憶する。
【００４２】
以上の構造により、演出カーテン２０に送風及び照明による変化を与えることができ、バリエーション豊かで動きのある背景を演出することができる。
【００４３】
次に、図４に示す処理フロー図と共に、写真シール自動作成機１の動作について説明する。
利用者によって貨幣投入口１６ａ（図１）に硬貨（コイン）が投入されると、貨幣処理装置１６（図３）が制御装置１１に起動信号を送信してプレイを開始する（ステップｎ１）。
【００４４】
制御装置１１は、モニタ１４に図５の画面イメージ図に示すカーテン選択画面を表示し、カーテンによる演出の種類を選択させる（ステップｎ２）。なお、このとき選択可能な種類として、演出カーテン２０を使用しない「ノーマル」、演出カーテン２０にグラデーションの照明光を照射する「グラデーション」、送風により演出カーテン２０を波立たせる「波」、及び、前記グラデーションの照明光と前記送風を同時に行う「波＋グラデーション」の４パターンを設定し、さらに前記「グラデーション」及び前記「波＋グラデーション」で青系色と赤系色とを選択可能にした計６種類のカーテン設定データを、記憶装置２３に記憶させておく。
【００４５】
利用者によってカーテンによる演出の種類が選択されると（ステップｎ３）、制御装置１１は、記憶装置２３からカーテン設定データを読取り、演出カーテン２０を下げ降ろす又は収納する、送風装置２１又は／及び演出照明装置２２を起動するといった環境設定を実行する（ステップｎ４）。
【００４６】
前記ステップｎ３でカーテンによる演出の種類が選択されない場合には、制御装置１１は１０秒経過するまで待機した後（ステップｎ５）、演出カーテン２０を使用しない「ノーマル」での環境設定を実行する（ステップｎ６）。
【００４７】
制御装置１１は、デジタルカメラ１２で撮影している動画をモニタ１４にプレビュー表示し、カウントダウンを行って被写体照明装置１３による略均一照明を得たデジタルカメラ１２による撮像を実行する（ステップｎ７）。このプレビュー表示と撮像の間、「波」又は「波＋グラデーション」の種類が選択されていれば、演出カーテン２０が連続的に揺れて変動する。これにより、利用者は動きのある背景を得た撮像画像を取得することができる。
【００４８】
前記撮像処理が終了すると、制御装置１１は撮像画像に落書き編集を許容する落書き編集処理を実行する（ステップｎ８）。該落書き編集処理では、図６に示すように落書き編集画像選択画面を表示し、落書き編集する撮像画像を選択させる。選択された撮像画像に対して、縁どりペンやらめペン等のペンツール、及び、さくらんぼや犬等の画像をスタンプのように書込めるスタンプツール等の落書きツールによる落書き編集を許容する。
【００４９】
前記落書き編集処理が終了すると、制御装置１１は落書き編集画像をプリンタ１８でシール紙１０ｂに印刷し（ステップｎ９）、完成した写真シールシート１０ｃ（図２）を出力し（ステップｎ１０）、プレイを終了する。
【００５０】
以上のようにして完成した写真シールシート１０ｃは、図７に示すように変化がありバリエーション豊かな背景を得た画像となり、複数回利用している利用者でも飽きることなく満足することができる。また撮像処理の際には、背景を含めてプレビュー確認して撮像できるため、演出効果にあわせたポーズをとる等、アミューズメント性を向上することができる。
【００５１】
なお、演出カーテン２０は撮像空間５の奥側、すなわち筐体４に近い位置に小さく設け、被写体の前景等、背景以外の周景を演出可能に形成しても良い。
また、演出カーテン２０は、図８の（Ａ）の斜視図に示すように、下辺を波型に切断して自由に動くように形成したカーテンで形成しても良い。この場合は、送風装置２１を天井側に取り付け、上から下方へ送風するように構成すると良い。他にも、送風装置２１を下方に備えたままで演出カーテン２０を吹き上げるように構成し、演出カーテン２０をひらめくように舞い上がらせても良い。これらにより、演出カーテン２０を大きく揺らすことができ、変化の幅が増大する。
【００５２】
また、図８の（Ｂ）の斜視図に示すように、演出カーテン２０を、白色シート２０ｂを吊るし紐２０ｄ，２０ｄ，２０ｄ，２０ｄで吊るして形成しても良い。これにより、白色シート２０ｂの自由度が高まり、透明シート２０ａで形成した場合よりも、特に上方で送風による揺れ幅が大きくなる。このため、変化に富む撮像画像を取得することができる。
【００５３】
また、演出照明装置２２は、照明光を点滅させるように構成しても良く、また色合を変化させるように構成しても良い。これにより、照明による変化の幅が広がり、アミューズメント性を高めることができる。
【００５４】
また、演出カーテン２０を振動させる振動装置を備え、演出カーテン２０を小刻みに振動させても良い。これにより、送風による動きとはまた異なる動きを演出カーテン２０に与えることができ、組み合わせて使用すれば撮像画像のバリエーションが飛躍的に増大する。
【００５５】
また、収納ローラ１９及び演出カーテン２０を複数備えても良い。この場合は、演出カーテン２０を複数種類備えることができ、選択可能な背景のバリエーションが増加する。
【００５６】
また、演出カーテン２０、送風装置２１、及び演出照明装置２２を設けず、撮像処理のプレビュー表示で、被写体の撮像画像と合成用の動画像とを合成表示し、モニタ１４に表示した撮像スタートボタンのタッチに基づいて撮像を実行し、該撮像のタイミングで合成画像を生成しても良い。この場合は、動画表示中の撮像タイミングにより撮像画像（合成画像）が変化し、予期せぬ撮像画像を取得することができる。
【００５７】
また、演出カーテン２０の代わりに、プロジェクタや映写機等の映像投射装置で映像を投射する演出スクリーンを備えても良い。この場合は、雨の映像、火の玉が舞う映像、又はオーロラの映像など、様々な動画を投射して撮像することで、変化に富む撮像画像を取得することができる。
【００５８】
また、スピーカ等の発音手段を備え、撮像処理中に衝撃音や鳥の鳴き声等の効果音を発音しても良い。これにより、利用者が効果音に反射的に反応した撮像画像を取得することができ、撮像画像の変化の幅が増大する。
【００５９】
加えて、落書き編集処理での画像処理により、例えば演出カーテン２０の色を赤から青に変更する処理や、演出カーテン２０にオーロラ等のグラデーション色を付与する処理等、周景の色変更を実行する周景色変更機能を備えても良い。該周景の色変更は、周景に対するトーンカーブや色調の変更又は補正で実行することができ、周景の抽出にはクロマキー合成を利用することができる。これにより、写真シールシート１０ｃの変化の幅を増大させることができる。
【００６０】
この発明の構成と、上述の実施形態との対応において、
この発明の写真シール自動作成装置は、実施形態の写真シール自動作成機１に対応し、
以下同様に、
識別体は、ＩＤタグ１０ａに対応し、
撮像手段は、デジタルカメラ１２に対応し、
編集手段は、入力装置１５に対応し、
識別手段は、ＩＤタグリーダ／ライタ１７に対応し、
出力手段は、プリンタ１８に対応し、
変動体及び面状体は、演出カーテン２０に対応し、
変動誘発手段及び送風手段は、送風装置２１に対応し、
変動体照明手段は、演出照明装置２２に対応するも、
この発明は、上述の実施形態の構成のみに限定されるものではなく、多くの実施の形態を得ることができる。
【図面の簡単な説明】
【図１】写真シール自動作成機の外観を示す正面右上から見た斜視図。
【図２】写真シール自動作成機の内部を示す部分拡大図（一部断面図）。
【図３】写真シール自動作成機の制御回路を示すブロック図。
【図４】写真シール自動作成機の動作を示す処理フロー図。
【図５】カーテン選択画面を示す画面イメージ図。
【図６】落書き編集画像選択画面を示す画面イメージ図。
【図７】写真シールシートを示す平面図。
【図８】演出カーテンの他の形態を説明する説明図。
【符号の説明】
１…写真シール自動作成機
５…撮像空間
１０…シール紙ユニット
１０ａ…ＩＤタグ
１０ｂ…シール紙
１０ｃ…写真シールシート
１２…デジタルカメラ
１５…入力装置
１７…ＩＤタグリーダ／ライタ
１８…プリンタ
２０…演出カーテン
２２…送風装置
２２…演出照明装置
【図１】
2004013070.tif 000003
【図２】
2004013070.tif 000004
【図３】
2004013070.tif 000005
【図４】
2004013070.tif 000006
【図５】
2004013070.tif 000007
【図６】
2004013070.tif 000008
【図７】
2004013070.tif 000009
【図８】
2004013070.tif 000010